(57)【要約】【課題】任意に記録開始位置を選択可能とする。【解決手段】記録装置は、画像データが既に記録されているディスク媒体などのランダムアクセス媒体に対して新たに画像データを記録する装置であって、記録媒体に記録されている画像データに関連した複数の所定の位置、例えば先頭位置、前テイクの記録開始位置及び記録終了位置より任意の記録開始位置を選択し、この選択された記録開始位置から新たに画像データを記録する構成とした。【選択図】　　　図４
2004062931.tif 000002
【特許請求の範囲】
【請求項１】
情報データが既に記録されている記録媒体に対して新たに情報データを記録する装置であって、
前記記録媒体に対して情報データを記録する記録手段と、
前記記録媒体に記録されている情報データに関連した複数の所定の位置より任意の記録開始位置を選択する選択手段と、
前記選択手段により選択された記録開始位置から前記新たな情報データを記録するよう前記記録手段を制御する制御手段とを備える記録装置。
【請求項２】
前記制御手段は前記複数の所定の位置に対応した前記記録媒体上のアドレスを示すアドレス情報を用いて前記記録開始位置を決定することを特徴とする請求項１記載の記録装置。
【請求項３】
前記制御手段は前記情報データの記録動作に応じて前記アドレス情報の内容を変更し、前記記録手段は更に前記変更されたアドレス情報を前記記録媒体に記録することを特徴とする請求項２記載の記録装置。
【請求項４】
前記記録手段は前記アドレス情報を前記記録媒体に関する管理情報内に格納して記録することを特徴とする請求項３記載の記録装置。
【請求項５】
メモリを備え、前記制御手段は前記情報データの記録動作に応じて前記アドレス情報の内容を変更し、前記変更したアドレス情報を前記記録媒体と対応付けて前記メモリに書き込むことを特徴とする請求項２記載の記録装置。
【請求項６】
前記複数の所定の位置の情報を表示する表示手段を備え、前記選択手段は前記表示手段に表示された情報を用いて前記記録開始位置を選択することを特徴とする請求項１記載の記録装置。
【請求項７】
前記情報データは画像データであり、前記表示手段は更に、前記選択された位置に対応した画像を前記複数の所定の位置の情報と共に表示することを特徴とする請求項６記載の記録装置。
【請求項８】
前記情報データは画像データであり、前記表示手段は前記複数の所定の位置に対応した画像をそれぞれ前記複数の所定の位置の情報と共に表示することを特徴とする請求項６記載の記録装置。
【請求項９】
前記情報データは画像データであり、前記複数の所定の位置に対応した画像を示すサムネイル画像データを生成するサムネイル生成手段を備え、前記記録手段は前記サムネイル画像データを前記記録媒体に記録し、前記表示手段は前記記録手段より再生したサムネイル画像データを前記複数の所定の位置の情報と共に表示することを特徴とする請求項８記載の記録装置。
【請求項１０】
前記表示手段は電源投入に応じて前記複数の所定の位置の情報を表示することを特徴とする請求項６記載の記録装置。
【請求項１１】
前記複数の所定の位置は、前記記録媒体に記録されている情報データのうち最初に記録された情報データの先頭位置、直前に記録された情報データの記録開始位置及び記録停止位置を含むことを特徴とする請求項１記載の記録装置。
【請求項１２】
前記記録媒体より前記情報データを再生する再生手段を備え、前記記録停止位置が選択された場合、前記制御手段は更に前記記録停止位置よりも所定期間前より前記記録停止位置まで前記情報データを再生した後再生を停止して記録待機するよう前記再生手段と前記記録手段とを制御することを特徴とする請求項１１記載の記録装置。
【請求項１３】
前記記録媒体はランダムアクセス媒体であることを特徴とする請求項１記載の記録装置。
【請求項１４】
前記記録媒体はディスク状記録媒体であることを特徴とする請求項１記載の記録装置。
【請求項１５】
前記情報データは画像データであり、前記画像データを発生する撮像手段を備えたことを特徴とする請求項１記載の記録装置。
【請求項１６】
記録媒体より情報データを再生する再生手段と、
前記記録媒体に対する異なる複数のユーザ毎の再生停止位置を示す停止位置情報を用いて前記再生手段の再生動作を制御する制御手段とを備える再生装置。
【請求項１７】
ユーザを検出する検出手段を備え、前記制御手段は前記検出手段により検出されたユーザに対応した前記再生停止位置より再生を開始するよう前記再生手段を制御することを特徴とする請求項１６記載の再生装置。
【請求項１８】
前記再生手段は前記停止位置情報を前記記録媒体より再生することを特徴とする請求項１６記載の再生装置。
【請求項１９】
前記制御手段は更に前記情報データの再生停止に応じて前記停止位置情報の内容を変更することを特徴とする請求項１８記載の再生装置。
【請求項２０】
前記変更された再生位置情報を前記記録媒体に記録する記録手段を備えたことを特徴とする請求項１９記載の再生装置。
【請求項２１】
前記制御手段は前記情報データを最後まで再生した後再生を停止した場合前記再生停止位置を消去することを特徴とする請求項１９記載の再生装置。
【請求項２２】
前記記録媒体に記録されている情報データの先頭位置と前記再生停止位置のうちの何れかを選択する選択手段を備え、前記制御手段は前記選択手段の選択結果に従い再生開始位置を決定することを特徴とする請求項１６記載の再生装置。
【請求項２３】
前記再生開始位置の選択用画面を表示する表示手段を備え、前記選択手段は前記表示手段表示された選択用画面を用いて前記情報データの先頭位置と前記再生停止位置のうちの何れかを選択することを特徴とする請求項２２記載の再生装置。
【請求項２４】
前記情報データは画像データを含み、前記表示手段は更に前記再生停止位置に対応した画像を前記選択用画面と共に表示することを特徴とする請求項２３記載の再生装置。
【請求項２５】
前記停止位置情報は更に前記ユーザ毎に直前の所定数の再生停止位置の情報を含み、前記制御手段は前記所定数の再生停止位置のうち選択された再生停止位置より再生を開始するよう前記再生手段を制御することを特徴とする請求項１６記載の再生装置。
【発明の詳細な説明】
【０００１】
【発明の属する技術分野】
本発明は記録装置に関し、特に記録あるいは再生開始位置の制御に関する。
【０００２】
【従来の技術】
従来、ＣＤやＤＶＤ等のディスクメディアから音声や画像を再生する装置が知られている。この種の装置では、ディスクに記録されている情報データの途中で再生を停止した場合、次に再生を始める際は再び先頭のデータから再生が行われる。このため、例えば映画等長時間のコンテンツを数回に分けて鑑賞したい場合に非常に不都合となっていた。
【０００３】
そこで、再生を停止した時のディスク上の停止位置を装置本体に記憶しておき、次回の再生の際はその停止位置より再生を開始するという、いわゆるレジューム機能が採用されているものがある。
【０００４】
【発明が解決しようとする課題】
しかしながら、従来では、ディスクを一度本体から排出したり、あるいは、装置本体の電源を絶ってしまうと、位置情報が消去されてしまいレジューム機能が無効となってしまう。また、停止位置情報は一つしか記憶されないため、一つのディスクを複数人で鑑賞する環境では、ユーザ毎に再生停止位置を管理できず、使いにくい事があった。
【０００５】
また、近年ではこのようなディスク媒体に対して画像データを記録する装置も登場しつつあるが、この種の装置では通常、直前に記録したデータに引き続いて記録を行っており、ＶＴＲのように記録開始位置をユーザが任意に選択できない。
【０００６】
本発明はこの様な問題を解決することを目的とする。
【０００７】
本発明の他の目的は、ディスク媒体などのランダムアクセス媒体に対し情報データを記録する際、任意に記録開始位置を選択可能とする処にある。
【０００８】
本発明の更に他の目的は、複数のユーザが一つの媒体に対して記録再生を行う場合に、ユーザ毎に記録あるいは再生開始位置を容易に管理可能とする処にある。
【０００９】
【課題を解決するための手段】
前記目的を達成するため、本発明によれば、情報データが既に記録されている記録媒体に対して新たに情報データを記録する装置であって、前記記録媒体に対して情報データを記録する記録手段と、前記記録媒体に記録されている情報データに関連した複数の所定の位置より任意の記録開始位置を選択する選択手段と、前記選択手段により選択された記録開始位置から前記新たな情報データを記録するよう前記記録手段を制御する制御手段とを備える記録装置が提示される。
【００１０】
【発明の実施の形態】
本発明の実施形態について説明する。
【００１１】
図１は本発明が適用されたビデオカメラ１００の構成を示す図である。ビデオカメラ１００はＤＶＤなどの光ディスクＤに対して画像データを記録再生する。
【００１２】
図１において、１０１は撮像部、１０２はメモリ、１０３はディスプレイ１０４の表示動作を制御する表示制御部、１０４は液晶モニタなどを含むディスプレイである。また１０５はビデオカメラ１００の動作を制御するシステム制御部、１０６は各種のキーやビデオカメラ１００の動作モードを切り換えるモードダイアルなどを含む操作キー、１０７は周知のＭＰＥＧ方式に従い画像データを符号化、復号化するＣＯＤＥＣ、１０８はディスクＤに対して符号化された画像データ及び他のデータを記録再生するディスクＩ／Ｆ、１０９は画像データを外部モニタなどに出力する出力回路、１１０は画像データを符号化された状態で入出力するデジタルＩ／Ｆ、１１１はビデオカメラ１００の各部でデータを送受信するためのバスである。
【００１３】
この様なビデオカメラ１００において、まず、記録時の基本的の動作を説明する。
【００１４】
操作キー１０６のモードダイアルにより、カメラモードを設定することにより電源が投入されると、システム制御部１０５は撮像部１０１により得られた画像データを表示制御部１０３に送り、ディスプレイ１０４に撮像部１０１からの画像を表示する。この状態で操作キー１０６より記録開始の指示があると、システム制御部１０５はメモリ１０２、ＣＯＤＥＣ１０７及びディスクＩ／Ｆ１０８を制御して記録を開始する。
【００１５】
即ち、撮像部１０１より出力された画像データはメモリ１０２に記憶され、ＣＯＤＥＣ１０７はメモリ１０２に記憶された画像データをＭＰＥＧ方式に従い符号化する。符号化された画像データはディスクＩ／Ｆ１０８に出力され、ディスクＩ／Ｆ１０８はディスクＤに対して画像データを記録する。このとき、ＣＯＤＥＣ１０７は記録開始に伴い先頭の１フレームの画像を縮小したサムネイル画像データを生成し、メモリ１０２に書き込む。また、操作キー１０６より記録停止の指示があると、システム制御部１０５はディスクＩ／Ｆ１０８を制御し、ディスクＤに対する画像データの記録動作を停止する。
【００１６】
本形態では、記録開始の指示から記録停止の指示までの間にディスクＤに記録した一連の符号化された画像データ及びこの画像データに関連したヘッダ、フッタなどの付加情報を一つのファイルとしてディスクＤ上に記録する。前述のサムネイル画像データはフッタ内に格納する。
【００１７】
次に、本形態における記録開始位置の選択及びそれに伴う記録動作について説明する。本形態では、ディスクＤに記録されている情報データに関連した複数の所定の位置よりユーザが任意に記録開始位置を選択し、選択した記録開始位置より画像データを記録するよう構成した。
【００１８】
図２はディスクＤ上に記録されている画像ファイルの様子を時系列に並べた図である。ディスクＤにはファイル２０５と２０６の二つのファイルが記録されており、２０６の方があとで記録されたファイル、つまり直前のファイルである。また、２０１は時系列上で先頭の画像データの記録位置であり、２０２は後述の様に再生モードでこのディスクＤを再生した際、再生を停止した再生停止位置である。また、２０３は直前の記録データの記録開始位置、２０４は記録停止位置である。本形態ではこれら２０１〜２０４の四つの位置情報をディスクＤの管理情報内に格納し、記録開始位置をこれら四つの位置より選択可能とした。
【００１９】
なお、図２は記録されているデータを時系列に示したもので、ディスクＤ上の実際の記録位置（アドレス）とは必ずしも一致していない。
【００２０】
次に、記録開始位置の制御に伴うシステム制御部１０５の処理について説明する。図３はシステム制御部１０５の処理を示すフローチャートである。
【００２１】
図３において、モードダイアルによりカメラモードが設定されると、ディスクＩ／Ｆ１０８を制御し、ディスクＤより管理情報を再生し、メモリ１０２に書き込む。そして、この管理情報の内容に基づいてこのディスクＤが一度も記録が行われた事のないブランクメディアか否か検出する（Ｓ３０１）。
【００２２】
ここで、管理情報について説明する。管理情報はディスクＤに記録されているデータの状態を示す情報であり、例えば、ディスクＤ上に記録されているファイル名や各ファイルの記録アドレス、ファイルの長さ、記録日時の情報などを含む。また、この管理情報はディスクＤの所定アドレス、例えば、ディスクＤの最内周側における所定数のトラックに記録する。
【００２３】
さて、Ｓ３０１でブランクメディアであると判定した場合は、ディスクＤの画像データの記録エリアにおける先頭アドレス（最下位アドレス）を記録開始位置に設定する（Ｓ３０６）。
【００２４】
その後、記録開始キー操作を待ち（Ｓ３０９）、操作が行われると記録を開始する（Ｓ３１０）。このとき、前述の様に記録開始時の先頭のフレームよりサムネイル画像データを生成する（Ｓ３１１）。そして、記録開始位置のアドレスを図２の記録先頭位置情報２０１としてメモリ１０２に記憶された管理情報に格納する（Ｓ３１５）。
【００２５】
また、Ｓ３０１において、ディスクＤがブランクメディアではなく、それ以前に記録が行われた事があるディスクであると検出した場合は、メモリ１０２に記憶した管理情報を確認し、既に記録レジューム位置（記録開始位置）として記録されているアドレス情報があるか否かを検出する（Ｓ３０２）。
【００２６】
即ち、本形態では、ディスクＤに対するデータの記録再生に伴い、図２に示した２０１〜２０４の各位置（アドレス）を示す情報を記録レジューム位置情報として管理情報に格納して記録している。そこで、システム制御部１０５は管理情報内に記録レジューム情報が格納されているか否かを検出する。
【００２７】
記録レジューム情報を検出した場合は、図４に示すレジュームポイント選択画面をディスプレイ１０４に表示する（Ｓ３０３）。
【００２８】
ここで表示するレジュームポイントは、図２の先頭位置２０１、前テイク記録開始点２０３、記録終了点２０４の三つのアドレスである。また、このとき、システム制御部１０５はディスクＩ／Ｆ１０８及びＣＯＤＥＣ１０７を制御し、ディスクＤに記録されているデータより先頭位置２０１、前テイク記録開始点２０３、記録終了点２０４の三つの位置の１フレームのデータをそれぞれ再生し、メモリ１０２に書き込む。
【００２９】
ユーザは操作キー１０６を操作することで図４のポインタ４０１を移動し、記録開始位置を選択することができる。このとき、図４のポインタ４０１の移動に伴い、ポインタ４０１が指しているレジュームポイントのフレーム画像をメモリ１０２から読み出し、ディスプレイ１０４に表示している。
【００３０】
この様に選択画面を表示した後ユーザの選択を待ち（Ｓ３０４）、その後選択が行われるとレジュームポイントのアドレスを記録開始位置として設定する（Ｓ３０７）。
【００３１】
また、Ｓ３０２にてアドレス情報がない場合は、管理情報に基づいて既にデータが記録されている領域以外の記録可能データ領域の中で先頭のアドレスを検索し（Ｓ３０５）、記録開始位置をこの検索されたアドレスに設定する（Ｓ３０８）。
【００３２】
その後、記録開始キー操作を待ち（Ｓ３０９）、操作が行われると記録を開始する（Ｓ３１０）。このとき、前述の様に記録開始時の先頭のフレームよりサムネイル画像データを生成する（Ｓ３１１）。そして、記録開始位置のアドレスを最新テイクの記録開始点情報２０３として管理情報に格納する（Ｓ３１６）。
【００３３】
その後、操作キー１０６により記録停止の指示があるまで引き続き記録動作を継続する（Ｓ３１７）。そして、記録停止の指示があると、画像データの記録を停止し（Ｓ３１８）、記録終了時のアドレスを検出する（Ｓ３１９）。
【００３４】
更にこのとき、記録終了位置の１フレームの画像データよりサムネイル画像データを生成してディスクＤのファイルフッタに格納して記録し（Ｓ３２０）、記録終了時のアドレスをテイク記録終了点２０４として管理情報に格納してディスクＩ／Ｆ１０８によりディスクＤに記録する（Ｓ３２１）。
【００３５】
次に、図１のビデオカメラ１００による再生時の処理について説明する。まず、基本的な再生動作について説明する。
【００３６】
操作キー１０６のモードダイアルにより再生モードが設定され、後述の様に再生指示があると、システム制御部１０５はＣＯＤＥＣ１０７、ディスクＩ／Ｆ１０８を制御してディスクＤに記録されたデータを再生する。
【００３７】
即ち、ディスクＩ／Ｆ１０８はディスクＤより指定されたファイルの画像データを再生してＣＯＤＥＣ１０７に送る。ＣＯＤＥＣ１０７は再生された画像データを復号し、表示制御部１０３に送る。表示制御部１０３はこの復号された画像データをディスプレイ１０４に表示する。また、操作キー１０６により再生停止が指示されるとディスクＩ／Ｆ１０８はディスクＤからの画像データの再生を停止する。
【００３８】
次に、再生動作に伴うシステム制御部１０５の処理について説明する。図６は再生動作に伴うシステム制御部１０５の処理を示すフローチャートである。
【００３９】
操作キー１０６のモードダイアルを操作することにより再生モードがセットされると、再生指示待ち状態となる（Ｓ６０１）。再生キー操作があると、ディスクＩ／Ｆ１０８を制御してディスクＤより管理情報を再生し、メモリ１０２に記憶する。そして、この管理情報にレジュームポイントとなる前述のアドレス情報が記録されているか否か検出する（Ｓ６０２）。
【００４０】
アドレス情報が格納されている場合、表示制御部１０３を制御して図７に示すレジュームポイント選択画面をディスプレイ１０４に表示する（Ｓ６０３）。
【００４１】
ここで表示するレジュームポイントは、図２の先頭位置２０１、前回再生終了点２０２の二つのアドレスである。
【００４２】
このとき、システム制御部１０５はディスクＩ／Ｆ１０８及びＣＯＤＥＣ１０７を制御し、ディスクＤに記録されているデータより先頭位置２０１及び再生停止位置２０２の１フレームのデータをそれぞれ再生し、メモリ１０２に書き込む。
【００４３】
ユーザは操作キー１０６を操作することで図７のポインタ７０１を移動し、再生開始位置を選択することができる。このとき、図７のポインタ７０１の移動に伴い、ポインタ７０１が指しているレジュームポイントのフレーム画像をメモリ１０２から読み出し、ディスプレイ１０４に表示している。
【００４４】
再生レジュームポイントが選択されると、表示制御部１０３を制御して図８に示すユーザ認証画面をディスプレイ１０４に表示し、ユーザ名とパスワードの入力を求める（Ｓ６０５）。
【００４５】
本形態では、ユーザ毎に再生停止位置情報を管理しており、ユーザ名とパスワード、及び各ユーザの再生停止位置情報を管理情報に格納してディスクＤに記録している。図８の表示画面において、ユーザによりユーザ名とパスワードが入力されると、システム制御部１０５は管理情報に格納されているユーザ名とパスワードの情報を比較する。そして、入力されたユーザ名とパスワードが正しいと認証すると（Ｓ６０６）、選択されたレジュームポイントの位置から再生を開始する（Ｓ６０７）。このとき、前回の再生終了点が選択されていた場合、入力されたユーザ名に対応した再生停止位置情報を管理情報より検出し、各ユーザに対応した再生停止位置より再生を開始する。
【００４６】
また、Ｓ６０２にてアドレス情報が記録されていない場合は、先頭位置からデータの再生を開始する（Ｓ６０８）。
【００４７】
その後は停止キーの操作が検出されるまで引き続き再生動作を継続する（Ｓ６０９）。停止キーの操作を検出するとディスクＩ／Ｆ１０８を制御して再生動作を停止し（Ｓ６１０）、再生終了時のアドレスを検出する（Ｓ６１１）。そして、この再生停止位置の１フレームの画像データからサムネイル画像データを生成してディスクＤのフッタに記録する（Ｓ６１２）。また、再生停止位置のアドレス情報を再生終了点のアドレス２０２として管理情報に格納し、この管理情報をディスクＩ／Ｆ１０８によりディスクＤに記録する（Ｓ６１３）。
【００４８】
この様に、本形態によれば、記録を開始する際、ディスク上に記録されている情報データの先頭位置、直前に記録したファイルの記録開始点、及び記録終了点のうち、記録開始位置を選択できるようにしたので、ユーザが任意の位置を選択して記録を開始することができる。
【００４９】
また、再生時においては、ユーザ毎に再生停止位置をディスクに記憶しているので、一つのディスクを複数のユーザが再生する場合にも各ユーザの再生停止位置より再生を開始することが可能となる。
【００５０】
なお、記録レジュームポイントを選択する際、図４の様に選択されたレジュームポイントの画像を多重して表示するのではなく、図５のように、各レジュームポイントのサムネイル画像を同時に表示してもよい。
【００５１】
また、記録レジュームポイントとして記録終了点である図２の２０４のポイントを選択した場合、この位置より所定秒数前のアドレスから再生を開始し、記録終了点まで再生したところで記録待機状態になる構成とする事も可能である。
【００５２】
また、再生時にレジュームポイントを選択し、ユーザ認証を行う際、図９のように先頭位置及び再生停止位置のサムネイル画像を表示することも可能である。
【００５３】
また、直前の所定回数前までの再生停止位置のアドレスをユーザ毎に記憶しておき、ユーザ毎にこれら過去に操作した複数の再生停止位置より任意の位置を選択して再生開始できる構成としてもよい。
【００５４】
また、一つのディスクに記録されているデータを一通り全て再生終えた場合には、再生終了点のアドレスを消去し、次回の再生開始時には先頭位置のみを表示する。
【００５５】
また、本形態ではディスクの管理情報に各レジュームポイントのアドレスを格納し、ディスク上の所定の位置に記録していたが、各レジュームポイントのアドレスをディスクに対応付けてビデオカメラ本体内に設けたメモリに記憶することも可能である。
【００５６】
また、本形態では記録媒体として光磁気ディスクを用いているが、ハードディスクやフラッシュメモリカードなど、他のランダムアクセス媒体を用いることも可能である。
【００５７】
【発明の効果】
以上説明した様に、本発明によれば、ユーザは記録媒体に記録されている情報データに関連した任意の位置を容易に選択して記録を開始することが可能となる。
【００５８】
また、ユーザ毎に再生開始位置を管理することが可能となる。
【図面の簡単な説明】
【図１】本発明が適用されるビデオカメラの構成を示す図である。
【図２】ディスク上に記録されている画像データの様子を示す図である。
【図３】記録時の処理を示すフローチャートである。
【図４】記録レジュームポイントの選択用画面を示す図である。
【図５】記録レジュームポイントの選択用画面を示す図である。
【図６】再生時の処理を示すフローチャートである。
【図７】再生レジュームポイントの選択用画面を示す図である。
【図８】ユーザ認証用画面を示す図である。
【図９】再生レジュームポイントの選択用画面を示す図である。
【図１】
2004062931.tif 000003
【図２】
2004062931.tif 000004
【図３】
2004062931.tif 000005
【図４】
2004062931.tif 000006
【図５】
2004062931.tif 000007
【図６】
2004062931.tif 000008
【図７】
2004062931.tif 000009
【図８】
2004062931.tif 000010
【図９】
2004062931.tif 000011